(57)【特許請求の範囲】
【請求項１】
複数本の光ファイバを別の光ファイバへ分岐又は接続する光用架体において、
複数本の光ファイバが引き出される光ファイバ引出部と、
該光ファイバ引出部から引き出された光ファイバに別の光ファイバを接続した接続部を収納する接続部収納部と、
前記光ファイバ引出部から前記接続部収納部へ引き込まれて該接続部収納部にて別の光ファイバとコネクタ接続される既接続光ファイバが配線される光ファイバ配線部を外側から覆う開閉自在の扉とを備え、
前記光ファイバ引出部から引き出された光ファイバのうち、何処にも接続されない光ファイバであり、先端に光コネクタを備える保留光ファイバが、前記光ファイバ引出部から前記既接続光ファイバとは異なるルートを辿って、前記扉に引き込まれ取り出し可能に引き留められており、
閉状態にある前記扉を開状態とし、前記保留光ファイバを取り出して、前記接続部に接続可能であることを特徴とする光用架体。
【請求項２】
複数本の光ファイバを別の光ファイバへ分岐又は接続する光用架体において、
複数本の光ファイバが引き出される配線用貫通孔を有する光ファイバ集合部、及び、前記配線用貫通孔の中心軸線とほぼ直角の中心軸線をもつ引出用貫通孔を有する貫通孔付き引出部を備えた光ファイバ引出部と、
前記光ファイバ集合部から前記貫通孔付き引出部の引出用貫通孔を経由して引き出された光ファイバに別の光ファイバを接続した接続部を収納する接続部収納部と、
前記光ファイバ引出部から前記接続部収納部へ引き込まれて該接続部収納部にて別の光ファイバとコネクタ接続される既接続光ファイバが配線される光ファイバ配線部を外側から覆う開閉自在の扉とを備え、
前記光ファイバ引出部の前記光ファイバ集合部から引き出された光ファイバのうち、何処にも接続されない光ファイバであり、先端に光コネクタを備える保留光ファイバが、前記光ファイバ引出部から前記既接続光ファイバとは異なるルートを辿って、前記扉に引き込まれ取り出し可能に引き留められており、
閉状態にある前記扉を開状態とし、前記保留光ファイバを取り出して、前記接続部に接続可能であることを特徴とする光用架体。
【請求項３】
前記接続部収納部は、光ファイバをコネクタ接続可能に成端した光コネクタが複数収納された成端部であり、
前記光ファイバ引出部からは、前記成端部の光コネクタに対してコネクタ接続可能に成端された前記既接続光ファイバが複数本引き出され、
前記扉には、前記保留光ファイバ先端の光コネクタを保留する保留部が設けられていることを特徴とする請求項１又は２記載の光用架体。
【請求項４】
前記保留部は、前記扉内表面に、複数の整列されたコネクタ保持孔であり、前記保留光ファイバ先端における前記光コネクタが前記コネクタ保持孔に着脱可能に装着されることを特徴とする請求項３記載の光用架体。
【発明の詳細な説明】
【０００１】
【発明の属する技術分野】
本発明は、複数本の光ファイバを別の光ファイバへ分岐又は接続する光用架体に関するものである。
【０００２】
【従来の技術】
図６は、従来用いられていた光用架体の例を示す。この図において光用架体は、架本体１内部に、接続ユニット２、保留光ファイバ端子接続部３を備えている。ちなみに図示はされていないが、この他光ジャンパユニットが、架本体１とは別個に用意される架に設置されるのが一般的である。また、接続ユニット２としては、代表的には、光カプラ等の光部品を収納する光部品収納ユニットを例として挙げることができる。そしてこの接続ユニット２は、すぐ後で述べる多数の光ファイバ４に対応するように多数用意されるものである。
【０００３】
光ファイバ４は、架本体１の導入部１ａにおいて架内部へと導入されるが、それは図に示すように、多数の光ファイバ４を束ねた光ケーブル５として行われる。そして、架本体１内部において、１本の光ケーブル５につき多数の光ファイバ４（例えば、１０００本程度）が引き出される。これら光ファイバ４は架本体１内に設けられた湾曲維持体６等を利用して湾曲されて接続ユニット２へと引き込まれる。なお図においては、その多数の光ファイバ４を１本の実線として簡略化して示している。
【０００４】
ところで上記多数の光ファイバ４は一般に、いかなる端子にも接続されない保留状態の光ファイバ（以下、保留光ファイバとよぶ）４ａと接続ユニット２にコネクタ接続状態にある光ファイバ（以下既接続光ファイバとよぶ）４ｂとの二種に区別される。これらのうち既接続光ファイバ４ｂは接続ユニット２に接続されることで別の光ファイバと接続される。一方、保留光ファイバ４ａは、その先端に備えられた光コネクタ（光コネクタプラグ）が保留光ファイバ接続端子部３に接続されるようになっている。これは、例えばこの保留光ファイバ４ａを既接続光ファイバとして使用したいという場合に備えて、その先端に備えられている光コネクタを保護することを主たる目的とするものである。
【０００５】
【発明が解決しようとする課題】
しかしながら、このような構造の光用架体においては、保留光ファイバ４ａと既接続光ファイバ４ｂとが、架本体１内において、同じ経路を通るような配置となっていることにより、両者が常に絡みやすい状況にあるということ、またこのことから必然的に両者の見分けをつけにくいという問題があった。
【０００６】
以上のことから、既接続光ファイバ４ｂのジャンパリング作業、保留光ファイバ４ａを接続ユニット２の光コネクタにコネクタ接続する作業等は、非常に手間がかかるものとなっていた。また、上記従来の光用架体においては、光ファイバ４ａ、４ｂの高密度化によって対応心数の増大を図ろうとすると、作業性をさらに悪化させるといった問題もあった。
【０００７】
本発明は上記事情に鑑みてなされたもので、その目的とするところは、多数の光ファイバの配線を区分けでき、対応心数が増大しても光ファイバ同士の絡み等に煩わされることなく、ジャンパリング作業等を効率よく行うことが可能な光用架体を提供することにある。
【０００８】
【課題を解決するための手段】
本発明は、上記の課題を解決するために以下の手段をとった。
すなわち、請求項１記載の光用架体は、複数本の光ファイバを別の光ファイバへ分岐又は接続する光用架体において、複数本の光ファイバが引き出される光ファイバ引出部と、該光ファイバ引出部から引き出された光ファイバに別の光ファイバを接続した接続部を収納する接続部収納部と、前記光ファイバ引出部から前記接続部収納部へ引き込まれて該接続部収納部にて別の光ファイバとコネクタ接続される既接続光ファイバが配線される光ファイバ配線部を外側から覆う開閉自在の扉とを備え、前記光ファイバ引出部から引き出された光ファイバのうち、何処にも接続されない光ファイバであり、先端に光コネクタを備える保留光ファイバが、前記光ファイバ引出部から前記既接続光ファイバとは異なるルートを辿って、前記扉に引き込まれ取り出し可能に引き留められており、閉状態にある前記扉を開状態とし、前記保留光ファイバを取り出して、前記接続部に接続可能であることを特徴とするものである。
また、請求項２記載の光用架体は、複数本の光ファイバを別の光ファイバへ分岐又は接続する光用架体において、複数本の光ファイバが引き出される配線用貫通孔を有する光ファイバ集合部、及び、前記配線用貫通孔の中心軸線とほぼ直角の中心軸線をもつ引出用貫通孔を有する貫通孔付き引出部を備えた光ファイバ引出部と、前記光ファイバ集合部から前記貫通孔付き引出部の引出用貫通孔を経由して引き出された光ファイバに別の光ファイバを接続した接続部を収納する接続部収納部と、前記光ファイバ引出部から前記接続部収納部へ引き込まれて該接続部収納部にて別の光ファイバとコネクタ接続される既接続光ファイバが配線される光ファイバ配線部を外側から覆う開閉自在の扉とを備え、前記光ファイバ引出部の前記光ファイバ集合部から引き出された光ファイバのうち、何処にも接続されない光ファイバであり、先端に光コネクタを備える保留光ファイバが、前記光ファイバ引出部から前記既接続光ファイバとは異なるルートを辿って、前記扉に引き込まれ取り出し可能に引き留められており、閉状態にある前記扉を開状態とし、前記保留光ファイバを取り出して、前記接続部に接続可能であることを特徴とするものである。
【０００９】
これによれば、端的には、光ファイバ引出部から引き出された光ファイバのうちの一部が前記扉に対して取り付けられている、ということがいえるから、結局、この扉に取り付けられた光ファイバと、同じく光ファイバ引出部から接続部収納部に向かう光ファイバとが明瞭に区別される。
またここでいう扉とは、前記光ファイバ引出部から前記接続部収納部へと引き込まれる光ファイバ配線部を外側から覆う開閉自在の扉のことであるから、該扉を開放すると光ファイバ配線部と、これに対して離間した扉との間に形成される空間を光ファイバのジャンパリング作業や光ファイバ配線部と扉との間の光ファイバの移設作業等を行うための作業スペースとして利用することが可能となる。なお接続部収納部における上記接続部とは、光ファイバ同士のコネクタ接続部、融着接続部等、各種採用可能である。
また、扉に取り付けられた光ファイバが「引き留められている」ということは、例えば、扉に光ファイバをテープ、コネクタ保留部等によって単に保持（保留）すること以外、扉に設けられた光コネクタに接続することも含まれる。すなわち、扉にも光コネクタを設けて光ファイバ同士を接続することも含む。
【００１０】
また請求項３記載の光用架体は、請求項１又は２において、前記接続部収納部は、光ファイバをコネクタ接続可能に成端した光コネクタが複数収納された成端部であり、前記光ファイバ引出部からは、前記成端部の光コネクタに対してコネクタ接続可能に成端された前記既接続光ファイバが複数本引き出され、前記扉には、前記保留光ファイバ先端の光コネクタを保留する保留部が設けられていることを特徴とするものである。
【００１１】
この発明によれば、光ファイバ引出部から引き出された光ファイバ先端には光コネクタ（光コネクタプラグ）が備えられており、既接続光ファイバは成端部においてコネクタ接続される。一方、保留光ファイバは扉へと向かって、該扉に設けられている保留部に保留される。そしてこのことから本発明においては、保留光ファイバと既接続光ファイバとの、厳然とした配置上の区別が可能となるのである。
また請求項４記載の光用架体は、請求項３において、前記保留部は、前記扉内表面に、複数の整列されたコネクタ保持孔であり、前記保留光ファイバ先端における前記光コネクタが前記コネクタ保持孔に着脱可能に装着されることを特徴とするものである。
【００１２】
【発明の実施の形態】
以下では、本発明の実施の形態について、図を参照して説明する。図１（ａ）は、本発明に係る光用架体の概要を示す正面図であり、図１（ｂ）は図１（ａ）中のＸ-Ｘ矢視図を示したものである。また、図２（ａ）はその背面図であり、図２（ｂ）は図２（ａ）中のＹ-Ｙ矢視図を示したものである。なお、図１（ｂ）及び図２（ｂ）においては、保留端子盤１２（後述）等の図示を省略している。また、以下の説明において参照する図面中、従来例の構成と相違ない対象については同一の符号を付すこととし、これを用いて説明を行うこととする。
【００１３】
図１及び図２において、光用架体は、架本体１００内に、接続ユニット（成端部）２、光ジャンパユニット１０、光ファイバ整列具１１、及び保留端子盤（扉）１２を備えて構成されている。架本体１００は、例えば、外観薄板ケース状の前記接続ユニット２を縦置きに複数横並びに配列収納するユニット収納棚１０１が多段に設けられた接続用架体１０２と、光ジャンパユニット１０や光ファイバ整列具１１を収納するジャンパ用架体１０３とを備える。
【００１４】
上記光ファイバ整列具１１及びジャンパユニット１０は、図３に示すように、共に外観薄板状である。これらジャンパユニット１０及び光ファイバ整列具１１は、図１（ａ）（ｂ）に示すように、ジャンパ用架体１０３にて図示しない支持具によって横置きに支持されるとともに、上下（図１（ａ）（ｂ）中上下）に多数積層される。ただし基本的に、光ジャンパユニット１０と光ファイバ整列具１１とは１対１の対を構成するため、それら両者の積層数は同一である。なお、このように積層された光ジャンパユニット１０及び光ファイバ整列具１１の全体の構成が、本発明の用語によるところの「光ファイバ引出部」に相当するものである。
【００１５】
ジャンパ用架体１０３内に導入された光ケーブル５ａ端末から引き出された多数本の光ファイバ４ｄは、接続用架体１０２背面側（図２（ａ）（ｂ）参照）から、目的の接続ユニット２に引き込まれる。これら接続ユニット２の各々には、図２（ｂ）に示すように、その側部に光ファイバ先端をコネクタ接続可能に成端する光コネクタアダプタ２ａが備えられている。また、上記光ファイバ４ｄは、接続ユニット２に至るまでに、たるみ等を適切に処理する湾曲維持体６等を介している。
【００１６】
一方、光ケーブル５ａと同様、ジャンパ用架体１０３内に導入された光ケーブル５ｂ端末から引き出された光ファイバ４ｃは、ジャンパ用架体１０２背面側から、光ジャンパユニット１０に接続される。図３において、この光ファイバ４ｃは、光コネクタ４ｅによりコネクタ成端され光ジャンパユニット１０の光コネクタアダプタ１０ａへ接続されるが、コネクタ成端なしの場合には、光ジャンパユニット１０側の光ファイバ４との融着接続等により接続される。ちなみに、このような接続形態は上記した接続ユニット２においても適用可能である。
【００１７】
光ジャンパユニット１０から引き出された光ファイバ４は光ファイバ整列具１１を経由して、ジャンパ用架体１０３前面側に引き出され、そこから接続用架体１０２の接続ユニット２へと引き込まれるもの（光ファイバ４ｂ）と、保留端子盤１２へと引き込まれるもの（光ファイバ４ａ）とに分かれる。接続ユニット２では、光コネクタを介して光ファイバ同士が切替可能に接続される。
【００１８】
図３において、光ジャンパユニット１０単体には、その側部に光コネクタアダプタ１０ａが備えられている。この光コネクタアダプタ１０ａに外側からコネクタ接続された光ファイバ４ｃは、先に述べたように架本体１００に導入された光ケーブル５ｂから引き出された光ファイバ４ｃである。そして、光コネクタアダプタ１０ａには、ユニット１０内側に導入部１０ｃから導入された光ファイバ４が光スプリッタ１０ｂを介して接続されている。つまり、光コネクタアダプタ１０ａの外側から接続された光ファイバ４ｃを、適当な数となる複数の光ファイバ４となるよう分岐接続するような形態となるのである。なお、本発明においてはこの回線分岐数は特に限定されるべきものではなく、適宜変更可能な性格のものであることはいうまでもない。
【００１９】
光ファイバ整列具１１単体は、図３に示すように、前記光ジャンパユニット１０からくる光ファイバ４のすべてを束ねた形で挿通させる配線用貫通孔１３ａを、図中張り出した部位となる光ファイバ集合部１３ｂに有する、整列具移動部１３を備えている。また、この整列具移動部１３には、前記配線用貫通孔１３ａの中心軸線とほぼ直角の中心軸線をもつ引出用貫通孔１３ｃを有する引出部１３ｄ（貫通孔付き引出部）も備えられている。ちなみに、このような整列具移動部１３は、図３中点線にて示すように、光ファイバ４の延在する方向に垂直に、あるいは「手前側に」（図５参照、後述）引き出すような移動が可能となっているものである。
【００２０】
上記配線用貫通孔１３ａを通過した光ファイバ４は、上記引出用貫通孔１３ｃを通過する光ファイバ４ｂと、光ファイバ整列具１１とは別に保留端子盤１２側に設けられた保留光ファイバ集合部１４に向かい同集合部１４に設けられている保留光ファイバ貫通孔１４ａを通過する光ファイバ４ａとに区別されるようになっている。すなわち光ファイバ４ａ及び４ｂとは異なるルートを辿ることを余儀なくされ、厳然と区別された状態で配置されるのである。またここでいう光ファイバ４ａとは、本実施形態において、保留光ファイバ４ａのことを意味するものである。
【００２１】
引出用貫通孔１３ｃを通過した光ファイバ４ｂは、光ファイバ整列具１１における本体部１５に設けられた収納部貫通孔１５ａを通過する。ちなみに、収納部貫通孔１５ａは本体部１５に張り出した部位として備えられた光ファイバ収納部１５ｂに形成され、収納部貫通孔１５ａと前記引出用貫通孔１３ｃとの中心軸線は、常態において同一直線上にのるような配置とされている。ただし、上述した整列具移動部１３の移動により、引出用貫通孔１３ｃの位置が変化した際には、この引出用貫通孔１３ｃと収納部貫通孔１５ａとの中心軸線は異なる直線上にのることになる。また、この収納部貫通孔１５ａと前記配線用貫通孔１３ａとは、両者の中心軸線が直角に交わる関係にあるものとなっている。
【００２２】
ここで収納部貫通孔１５ａは、図３に示すように、その中心軸線が貫く面を除いて側壁１５ｃにより囲われており、かつ、その側壁１５ｃの一部を構成する板状蓋１５ｄを図中矢印Ｂのように動作させることにより開口部１５ｅが現出するようなものとなっている。換言すれば、収納部貫通孔１５ａは、上記板状蓋１５ｄが備えられる一面を開口部１５ｅとする断面コの字状の孔となるものである。光ファイバ４は、上記断面コの字状の孔部分を通過することとなり、上記板状蓋１５ｄを開とすれば、それらのうち所望の光ファイバ４を容易に選択することが可能となる。なお、前記保留光ファイバ貫通孔１４ａは、ここで述べた形態と同様なものとなっており、図３に示すように開口部１４ｂ及び板状蓋１４ｃを備えたものとなっている。
【００２３】
またこれに関連して、前記引出用貫通孔１３ｃは、その中心軸線が貫く面を除くすべての面が固定された側壁１３ｅにより囲われた形態となっている。つまり端的に言えば、六面のうち四面が閉鎖された形態となっていることになる。ただし、図中上面にあたる側壁１３ｅにおいては、光ファイバ４の線径よりも若干大きい幅を有するスリット１３ｆが光ファイバ４が延在する方向に斜めに形成されている。そしてこのスリット１３ｆを利用することにより、所望の光ファイバ４の選択、取り出しが可能となっているものである。なお、この引出用貫通孔１３ｃとしては、ここで述べたスリット１３ｆを有する形態ではなく、上述した収納部貫通孔１５ａのような開口部及び板状蓋を備える形態としてもよい。
【００２４】
収納部貫通孔１５ａを通過した光ファイバ４ｂは、接続ユニット２へと向かい、そこで先端に備えられた光コネクタ（光コネクタプラグ）が接続されることになる。一方、保留光ファイバ貫通孔１４ａを通過した保留光ファイバ４ａは、その先端にある光コネクタ７を保留端子盤１２に引き留められた状態とされる。
【００２５】
保留端子盤１２は、図１（ａ）において（正面からみて）右方に示される、架本体１００に対して開閉自在な板状の扉（図３又は図４中の矢印Ａ参照）のことである。より具体的にはその扉内表面に、複数の整列されたコネクタ保持孔（保留部）１２ａが複数形成され整列しており、保留光ファイバ４ａ先端における光コネクタ７がこれらコネクタ保持孔１２ａに着脱可能に装着される。またコネクタ保持孔１２ａとしては、光コネクタ７先端を保護ないし埃の付着等を防止するような構造が採用されることが一般的である。ただし、コネクタ保持孔１２ａの代わりとして、コネクタ接続されるような端子（保留用のハウジング）を設けるような態様としてもよい。また保留光ファイバ４ａの余長部は、図１（ａ）あるいは図３に示すように、コネクタ保持孔１２ａに接続された光コネクタ７と保留光ファイバ集合部１４とを両端点として、保留端子盤１２面に沿って垂れ下げるようにして湾曲処理する。
なお、前記した保留光ファイバ集合部１４は、ここで説明した保留端子盤１２あるいはその近傍に固定されているものであり、このことから光ファイバ整列具１１から引き出された光ファイバは、図３、図４、また図５中Ｆ部として示すように、扉に引き込まれるようにして誘導されるようになっている。また、保留端子盤１２への保留光ファイバ４ａの保持方法は、上記以外のどのような方法を採ってもよい。例えば場合によっては、コネクタ保持孔１２ａ等の光コネクタ保持手段を何ら備えず、単に扉内表面にテープによって接着止めするような形態であってもよい。
【００２６】
ところで、図１（ａ）においては、図３で説明した引出部１３ｄ及び光ファイバ収納部１５ｂがみえるが、これら両部に形成された引出用貫通孔１３ｃ及び収納部貫通孔１５ａを層通されているのが接続ユニット２へ向かう光ファイバ４ｂであるが、この光ファイバ４ｂについて、その収納部貫通孔１５ａ以降、接続ユニット２以前にあたる部分は、図１（ａ）に示すように、架本体１００内で下方に垂れ下げた状態で湾曲処理するようにする。そして、この湾曲処理された部分は、本発明の用語で言うところの「光ファイバ配線部」２０にあたるものである。したがって、上記保留端子盤１２は、この光ファイバ配線部２０を外側から覆うように架本体１００に対して付設されていることがわかる。
【００２７】
以下では、このような構成となる光用架体の作用効果について、特に保留光ファイバ４ａのうちから所望のものを選び出しこれを接続ユニット２における端子に接続する作業、すなわちジャンパリング作業を実現する際の態様に焦点をおいた説明をすることとする。
【００２８】
ここでまず気付かれることは、従来の光用架体とは異なり、多数の光ファイバ４群から所望の保留光ファイバ４ａを選び出す作業が極めて容易になっていることである。これは、保留光ファイバ４ａが、その光コネクタ７を保留端子盤１２上のコネクタ保持孔１２ａに接続した状態にあって、かつ光ファイバ４ｂとは明瞭に区別された状態にあることによるものであり、またその選択が、前記コネクタ保持孔１２ａ群から所望の光コネクタ７を選び出すだけでよいことによるものである。このことは、光ファイバ４が混在した状態にあった従来例からみた場合、その作業性において、格段の向上が果たされていることが明らかである（図６参照）。
【００２９】
所望の保留光ファイバ４ａにおける光コネクタ７を選択したら、それを保留端子盤１２から離脱させ、次に保留光ファイバ集合部１４に関する作業を行う。この際、保留光ファイバ貫通孔１４ａは板状蓋１４ｃを有するものであったから、所望の保留光ファイバ４ａの選択は容易に行われることとなる。すなわち、閉状態にある板状蓋１４ｃを開状態とし、選択した保留光ファイバ４ａを開口部１４ｂから引き出すようにすればよいのである。
【００３０】
そして、配線用貫通孔１３ａに関する光ジャンパユニット１０側の方から、その所望の保留光ファイバ４ａを、該配線用貫通孔１３ａに向かって引き寄せる。このようにして、配線用貫通孔１３ａの手前まで、所望の保留光ファイバ４ａにおける光コネクタ７が引き寄せられた状態、すなわちいわゆるプラグリセットされた状態が容易に現出することになる。
【００３１】
続いて、この保留光ファイバ４ａ及びその先端の光コネクタ７を、引出用貫通孔１３ｃの方向へと配向して、そのスリット１３ｆにたいして保留光ファイバ４ａを通過させるとともに、光コネクタ７が収納部貫通孔１５ａをも通過した状態を現出する。後者の作業は、該貫通孔１５ａの板状蓋１５ｄを開状態とした後に保留光ファイバ４ａをその内部に納め、再び閉状態とする作業を実施すればよい。このことにより、保留光ファイバ４ａは、引出用貫通孔１３ｃ及び収納部貫通孔１５ａの両貫通孔を通過した状態となる。そして最後に、光コネクタ７を接続ユニット２における所定の端子に接続すればよい。
【００３２】
このように所望の保留光ファイバ４ａを接続ユニット２に接続するジャンパリング作業は、その保留光ファイバ４ａの選択が容易に行われることに始まり、接続ユニット２への接続まで、極めて簡便にかつ確実に実現されることになる。むろん保留光ファイバ４ａ選択時におけるその光コネクタ７の保留端子盤１２に対する着脱作業は、極めて容易に行われる。
【００３３】
また本発明に係る光用架体は、ジャンパリング作業そのものには直接的な関わりはないが、保留光ファイバ４ａの余長部分が、上で説明したように、保留端子盤１２の手前側に垂れ下げた状態として簡単に湾曲処理されていることから、光ファイバ整列具１１等を大型化させるということもなく、当該余長部分は適切な処理がなされる、という利点をも兼ね備えている。
【００３４】
さらに本発明に係る光用架体は、保留端子盤１２、すなわち扉を開放した状態において、架本体１００内の光ファイバ配線部２０とこれに対して離間した保留端子盤１２との間に形成される空間Ｐ（図４参照）を、まるまる作業スペースとして利用することができる。例えば上では説明しなかったが、光ファイバ４ｂを接続ユニット２における別の端子に接続替え（これもジャンパリング作業の一種といえる）する際には、主に引出用貫通孔１３ｃ及び収納部貫通孔１５ａ周囲での作業が中心となる。このとき、上記保留端子盤１２が開いた状態では、図４の上記空間Ｐに示すように、十分広いスペースにおいて余裕を持って作業を行うことができるのである。またこの場合において、光ファイバ整列具１１における整列具移動部１３を、図３で説明したように「手前側に」引き出した状態で作業を実施すれば、光ファイバ４ｂの選択作業等が上記空間Ｐにおいて実施することが可能となり、その作業性を向上することができるのである。ちなみに、図５は、複数の光ファイバ整列具１１において、そのうちの一つの同整列具１１における整列具移動部１３すなわち引出用貫通孔１３ｃを「手前側に」引き出した状態を斜視図として示したものである。
【００３５】
また本実施形態においては、保留光ファイバ４ａ及び光ファイバ４ｂのジャンパリング作業が容易に行えるという効果に関わらず、次に記すような効果を指摘することができる。すなわち光ファイバ整列具１１が、光ジャンパユニット１０単位で増設することが可能なことである。例えばいま光ジャンパユニット１０単体を一単位増設したとすると、それに応じて、光ファイバ整列具１１単体を増設することが可能であり、光ファイバ４の錯綜を招かず、整理した状態を保ちながら、光用架体の構築が可能となるのである。
【００３６】
なお、本実施形態において、「光ファイバ」、「光コネクタ」、そして「接続ユニット」として導入した用語によって指示され得るものを、本発明は特に限定する意図を持たない。すなわち、光ファイバとしては、例えば多心の光ファイバ心線や、光コード等が採用可能である。また光コネクタとしては、JIS C 5973に制定されるＳＣ形光コネクタ（Single fiber Coupling optical fiber connector）、JIS C 5981に制定されるＭＴ形光コネクタ（Mecanically Transferable）、JIS C 5982に制定されるＭＰＯ形光コネクタ（Multifiber Push On）等が採用可能である。さらに、接続ユニットとしては、例えば、光カプラ等を内蔵したカプラユニット等の光部品収納ユニットや、光ファイバのコネクタ成端された端部が複数配列された成端ユニット等が適用されうる。
【００３７】
【発明の効果】
以上説明したように、本発明の光用架体は、光ファイバ引出部から引き出された光ファイバのうちの一部が扉に取り付けられ、同じく光ファイバ引出部から引き出され接続部収納部に向かう光ファイバが存在することにより、両光ファイバの配置を明瞭に区別したものとすることができる。したがって、これら両光ファイバが絡み合うといった事態が発生することがない。またここでいう扉とは、前記光ファイバ引出部から前記接続部収納部へと引き込まれる光ファイバ配線部を外側から覆う開閉自在の扉のことであるから、該扉を開放した場合においては、その扉と前記光ファイバ配線部との間に形成される空間を作業スペースとして利用することが可能となる。
【００３８】
また請求項３記載の光用架体は、光ファイバ引出部から引き出された光ファイバ先端には光コネクタが備えられており、当該光ファイバの一部は成端部においてコネクタ接続され既接続光ファイバとなる。一方、当該光ファイバのうち何処にも接続されないもの、すなわち保留光ファイバは前記扉に設けられた保留部に保留されることになる。したがって本発明によれば、既接続光ファイバと保留光ファイバとを厳然たる区別のもと配置することができる。またこのことは、例えば保留光ファイバを既接続光ファイバとするようなジャンパリング作業を容易に実施することを可能とするものである。
【図面の簡単な説明】
【図１】  本実施形態に係る光用架体の概要を示す図であり、（ａ）はその正面図、（ｂ）は（ａ）に示すＸ-Ｘ矢視図である。
【図２】  本実施形態に係る光用架体の概要を示す図であり、（ａ）はその背面図、（ｂ）は（ａ）に示すＹ-Ｙ矢視図である。
【図３】  光ジャンパユニット単体及び光ファイバ整列具単体の構成、及び保留端子盤の構成を示す説明図である。
【図４】  光ファイバ整列具及び保留端子盤を上方向から臨んだ上面図である。
【図５】  接続ユニット、光ファイバ整列具、及び保留端子盤の各部が見渡せる位置より臨みかつこれらを拡大視して示した斜視図であり、加えて光ファイバ整列具における整列具移動部を引き出した状態を示すものである。
【図６】  従来の光用架体の概要を示す正面図である。
【符号の説明】
２…接続ユニット、２ａ…光コネクタアダプタ、４…光ファイバ、４ａ…保留光ファイバ、４ｂ…光ファイバ、４ｃ…（光ケーブル５ａより引き出される）光ファイバ、４ｄ…（光ケーブル５ｂより引き出される）光ファイバ、５、５ａ、５ｂ…光ケーブル、６…湾曲維持体、７…光コネクタ、１０…光ジャンパユニット、１０ａ…光コネクタアダプタ、１０ｂ…光スプリッタ、１０ｃ…導入部、１１…光ファイバ整列具、１２…保留端子盤、１２ａ…コネクタ保持孔、１３…整列具移動部、１３ａ…配線用貫通孔、１３ｂ…光ファイバ集合部、１３ｃ…引出用貫通孔、１３ｄ…貫通孔付き引出部（引出部）、１３ｅ…側壁、１３ｆ…スリット、１４…保留光ファイバ集合部、１４ａ…保留光ファイバ貫通孔、１４ｂ…開口部、１４ｃ…板状蓋、１５…本体部、１５ａ…収納部貫通孔、１５ｂ…光ファイバ収納部、１５ｃ…側壁、１５ｄ…板状蓋、１５ｅ…開口部、２０…光ファイバ配線部、１００…架本体、１０１…ユニット収納棚、１０２…接続用架体、１０３…ジャンパ用架体
【図１】
0003676119.tif 000002
【図２】
0003676119.tif 000003
【図３】
0003676119.tif 000004
【図４】
0003676119.tif 000005
【図５】
0003676119.tif 000006
【図６】
0003676119.tif 000007